(57)【要約】【課題】これまでにない電子ペーパーの応用用途を開拓し、電子ペーパーを利用した編み物を提供すること。【解決手段】電子表示シート１８０から切り出された長尺体多数１８０６を編み、編み物を形作る。端部に配置された長尺体１８０６とその長尺体１８０６に隣接する長尺体１８０６とを順次結線していき、一対の電極１８１ａ，１８１ｂ、１８１ｃ，１８１ｄそれぞれを引き出して一対の透明電極に電圧を印加して編み物の模様替えを行なう。【選択図】　　図４
2004068181.tif 000002
【特許請求の範囲】
【請求項１】
長尺体が編まれて形作られた編み物であって、
前記長尺体のうちの少なくとも一部が、帯状に加工された、物理的な刺激により色が変化する電子ペーパーからなることを特徴とする編み物。
【請求項２】
前記電子ペーパーは、
一対の絶縁体と、該一対の絶縁体の内側に配置された透明電極と、該一対の透明電極で封止された中空部に充填された縣濁液と、該縣濁液中に分散した着色粒子とを備えたものであり、該一対の電極間に電圧を印加することにより生じる着色粒子の電気泳動で色が変わるものであることを特徴とする請求項１記載の編み物。
【発明の詳細な説明】
【０００１】
【発明の属する技術分野】
本発明は、長尺体が編まれて形作られた編み物に関する。
【０００２】
【従来の技術】
近年では紙に代わるものとして電子ペーパーと呼ばれる情報保持体が出現してきている。この電子ペーパーは紙に記録するかのごとく記録された情報がそのまま保存され、また消しゴムで消されるかのごとくその記録された情報が消されることから電子ペーパーと呼ばれている。このような電子ペーパーを用いて、チケットの情報を書き換えることを可能にしたシステムが提案されている（例えば、特許文献１参照）。
【０００３】
【特許文献１】
特開２００２−２４８６５号公報
【０００４】
【発明が解決しようとする課題】
特許文献１では電子ペーパーの内容を必要に応じて書き換え、今までであれば紙が必要枚数分必要であったところを、電子ペーパー一枚で済ませ、ごみの削減および情報の有効利用を行なうといった情報更新システムが提案されている。
【０００５】
しかし上記の公報も含めて今までの電子ペーパーが用いられる用途は、電子ペーパーを情報担持体として用いる装置あるいは物に限られている。
【０００６】
本発明は、上記事情に鑑み、これまでにない電子ペーパーの応用用途を開拓し、電子ペーパーを利用した編み物を提供することを目的とする。
【０００７】
【課題を解決するための手段】
上記目的を達成する本発明の編み物は、長尺体が編まれて形作られた編み物であって、
前記長尺体のうちの少なくとも一部が、帯状に加工された、物理的な刺激により色が変化する電子ペーパーからなることを特徴とする。
【０００８】
上記本発明の編み物によれば、電子ペーパーを長尺体に加工してその加工された長尺体を組み合わせて編むことにより編み物が形作られる。この編み物に物理的な刺激を加えると、電子ペーパーからなる長尺体の色が変化して編み物の模様、柄を変化させることができる。また異なる色を有する長尺体がそれぞれ組み合わされて編み物が形作られると、長尺体それぞれの色が重なって見え、その編み物を見る方向によってはその編み物の色が異なる色に見えるという色効果も得られる。
【０００９】
ここで、前記電子ペーパーは、
一対の絶縁体と、該一対の絶縁体の内側に配置された透明電極と、該一対の透明電極で封止された中空部に充填された縣濁液と、該縣濁液中に分散した着色粒子とを備えたものであり、該一対の電極間に電圧を印加することにより生じる着色粒子の電気泳動で色が変わるものであることを特徴とする。
【００１０】
このように上記長尺体のうちの少なくとも一部が電子ペーパーで構成され、その電子ペーパーの一対の透明電極間に電圧を印加することにより着色粒子が電気泳動してその長尺体の色が変わると、その編み物の持ち主が模様を変えたいと思ったときに電圧を印加して模様を変えることができ、そのままの模様を保持することができる。
【００１１】
【発明の実施の形態】
以下、本発明の実施形態について説明する。
【００１２】
図１は電子表示ペーパーが用いられる電子表示シートの構成を示す図である。
【００１３】
図１には電子ペーパーからなる電子表示シート１８０を駆動するためのドライバの構成も示してある。
【００１４】
図１に示すように電子表示シート１８０にはセル１８００が縦横に整列されて多数配列されている。以後の説明においては縦に配列されているセル群を列セルと呼び、それぞれｃｏｌｕｍｎ１〜ｃｏｌｕｍｎ８と記す。また横に配列されているセル群を行セルｒｏｗと呼び、それぞれｒｏｗ１〜ｒｏｗ７と記す。これらの行セルｒｏｗ１〜ｒｏｗ７の中のいずれかがデコーダ１８２ａにより選択され、これらの列セルｃｏｌｕｍｎ１〜ｃｏｌｕｍｎ７の中のいずれがラインドライバ１８２ｂにより選択され、縦横に配列されたいずれかのセル１８００に電圧が印加されると、その選択されたセルの色（たとえば斜線で施した部分）が変わる。図１にはドライバ部を構成するデコーダ１８２ａとラインドライバ１８２ｂのほかに、ラッチ回路１８２ｃ、シフトレジスタ１８２ｄも示されている。
【００１５】
このドライバ部に画像データを所定の間隔ごとに供給すると、電子表示シート１８０に様々な画像が表示される。
【００１６】
図２は一つのセル１８００の構造を概念的に示した図である。図２を参照して電子表示シートの原理を説明する。
【００１７】
図２に示すように一つのセル１８００は、ガラス板１８０ａと、一対の透明電極１８０１ａ，１８０１ｂと、縣濁液１８０２と、多数の着色粒子１８０３、とスペーサ１８０４ａ，１８０４ｂと、基板１８０５とからなる。
【００１８】
縣濁液１８０３中に多数の着色粒子１８０３が混入されており、その縣濁液１８０３と多数の着色粒子１８０３とが一対の透明電極１８０１ａ，１８０１ｂと一対のスペーサ１８０４ａ，１８０４ｂで封止されている。一方の透明電極１８０１ａがグランドに接続され、他方の電極１８０１ｂに正負の電圧がいずれかが印加されると、いずれか一方の電極側に着色粒子１８０３が泳動して集まる。図２にはいずれかの電極側に着色粒子１８０３が集められたときの状態がそれぞれ示されている。
【００１９】
図３の左側には図中下側の電極１８０１ｂに正の電圧が印加されたときの状態が示されており、多数の着色粒子１８０３が観察者側に集められて観察者には着色粒子１８０３の色、例えば白が観察される。また図３の右側には、図中下側の電極１８０１ｂに負の電圧が印加された状態が示されており、観察者には着色粒子の色が観察されずに縣濁液１８０２の色たとえば黒が観察される。着色粒子１８０３が泳動した後は、電圧が解除されても着色粒子はそのままの位置に保持される。このようなセル１８００が多数配列されて電子表示シート１８０ｂが構成される。
【００２０】
図３はその電子表示シート１８０に使用される電子ペーパーから長尺体を得るときの加工図である。図３（ａ）は図１に示したものと同様の電子表示シート１８０ｂの外形を示す図、図３（ｂ）は切り出された長尺体１８０６を示す図、図３（ｄ）は切り出された長尺体の多数が編まれて編み物が形作られるときの長尺体それぞれの配置を示す図である。
【００２１】
図３（ａ）のような電子表示シート１８０ｂを横方向あるいは縦方向に切り取っていくと、図３（ｂ）に示すように電子ペーパーが分割されて長尺体１８０６が多数得られる。この電子ペーパー１８０ｂはフィルム材料のようなもので、カッティングは切断具を用いれば簡単に行なうことができる。この電子表示シート１８０ｂでは図１に示す如く一つのセル１８００ごとにスペーサ１８０２ａ，１８０２ｂが配置されるのではなく、図３（ｂ）のように長尺体１８０６の両端部にだけスペーサ１８０６ｃ，１８０６ｄが配置されている。したがって一対の透明電極１８０６ａ，１８０６ｂに正あるいは負の電圧が印加されると着色粒子が泳動して長尺体１８０６全体の色が変わる。
【００２２】
これらの長尺体１８０６が図３（ｃ）のように多数編まれて編み物が形づくられる。
【００２３】
図４は図３（ｃ）に示したＡの部分を拡大した図である。図４（ａ）は縦方向、横方向とも同一色で編み物の模様がない場合で、図４（ｂ）は横じまの模様が形成された場合である。
【００２４】
図４（ａ）に示すように縦方向に配列された長尺体１８０６の表面側の透明電極１８０６ａが隣接する長尺体の表面の透明電極に順次結線され、また裏面側の透明電極１８０６ｂが同様に結線されて、一対の電極１８１ａ，１８１ｂと一対の電極１８１ｃ，１８１ｄがそれぞれ引き出されている。一つの長尺体１８０６には同色の着色粒子１８０６ｅが多数混入されており、一対の電極１８１ａ，１８１ｂの電極１８１ｂ側に正の電圧が印加されると着色粒子の色が観察される。図４（ａ）は一対の電極それぞれに負の電圧が印加されて縦方向、横方向とも縣濁液の色が観察された状態が示されている。なお電子ペーパーでは図３で説明したように着色粒子が泳動した後、電圧が解除されても着色粒子の位置が保持されるので変化した色がそのまま保持される。
【００２５】
ここで横方向に配列された長尺体の一対の電極の電極１８２ｂ側に正の電圧が印加されると、図４（ｂ）に示すように横方向に配列された長尺体１８０６の色が着色粒子１８０６ｅの色に変わり横じま模様になる。縦方向と横方向に配列された長尺体１８０６それぞれに異なる電圧をそれぞれ印加すれば、編み物の模様を縦じま模様と横じま模様とに自在に変化させることができる。
【００２６】
本実施形態では複数の長尺体１８０６に一括して電圧を加えることにより模様を変えているが、複数の長尺体のうちの一部と余部とからそれぞれ電極を引き出して、それぞれに電圧を印加しても良く、多数の長尺体それぞれから電極をそれぞれ引き出してそれぞれに異なる電圧を印加しても良い。
【００２７】
図５はネクタイに長尺体を使用した例である。
【００２８】
多数の長尺体１８０６と多数の糸とでネクタイ３００を編み、多数の長尺体１８０６が結束されて一対の電極３０１ａ，３０１ｂがそれぞれ引き出されている。ここでは長尺体１８０６一本一本はそれぞれ強度が弱いものであるので、多数の長尺体１８０６が結束されてネクタイの強度が高められている。ここではネクタイの柄として無地と横じま模様を選択することができるようになっている。
【００２９】
ネクタイのネック部には一対の電極３０１ａ，３０１ｂが引き出されており、その一対の電極に電圧が印加されるとネクタイの柄が無地から横じまへあるいは横じまから無地へと変わる。
【００３０】
ここではネクタイ３００に外部から電圧を加えるための書き込み装置２００が別に設けられている。この書き込み装置２００には、ネクタイ側に設けられた一対の電極がそれぞれ嵌挿される電極装着部２０１，２０２が備えられており、ここにネクタイの一対の電極３０１ａ，３０１ｂそれぞれが嵌合される。一方、書き込み装置２００にはその一対の電極に電圧を加えるためのドライバが備えられており、そのドライバにはネクタイの柄に応じたデータがパーソナルコンピュータ１００（以下、ＰＣという）から転送される。たとえばＰＣ１００の表示装置に実現可能なネクタイの柄を指定するサンプル（たとえな無地と、横じま）が複数表示され、その複数のサンプルの中のいずれかがユーザにより指定されると、その指定に応じてＰＣ１００からドライバ２００にデータが転送され、一対の電極３０１ａ，３０１ｂに正あるいは負の電圧が印加されてネクタイ３００の柄が変わるようになっている。
【００３１】
なおここでは、同色の着色粒子のみが縣濁液中に混入されている例が示されているが、光の３原色である赤・青・緑の着色粒子それぞれを縣濁液中に混入すれば様々な色を表現することができる。このときには赤・青・緑の着色粒子それぞれの配分量を外部からの物理的な刺激で変えることにより長尺体１８０６を様々な色に変化させることができる。さらにこれらの長尺体１８０６一本一本が編まれてたとえばネクタイが形作られると、電子表示シートのように平面的に配列されるのではなく立体的に配置されるので、長尺体１８０６の色が立体的に重ねられ、見る側がそのネクタイを見る方向を変えるとそのネクタイの柄や色が変わって見えるという効果も出てくる。
【００３２】
なお本発明はネクタイなどの衣料品だけに留まらず、バック、靴、鞄といったものにまで応用可能であり、また壁紙、敷物といったものにも応用可能である。
【００３３】
また本実施形態では電圧を印加することにより、色が変化する電子表示ペーパーを用いたが、本発明はこれに拠らず、磁界を変化させると色が変化する電子ペーパーを用いて長尺体を構成しても、あるいは熱量を与えるとその熱量を受け取り、色が変化する電子ペーパーを用いて長尺体を構成しても良い。このように熱量に応じて長尺体の色が変化するものであれば陽射しに応じて色が変わるので、陽射しが強くなったら陽射しから熱を受け取り、黒色から白色に変化して遮光する遮光カーテンや陽射しが強くなったら色が陽射しから熱を受け取って黒色から白色へ変化する日傘などに応用することも可能になる。また、軍事用として使用される迷彩模様からなるカバーの模様を環境に応じて変更することも可能になる。
【００３４】
以上説明したように本発明の編み物によれば、一つの編み物に外部から物理的な刺激を加えれば模様替えを行なうことができるので、たとえば洋服であれば着たままで自由に模様替えを行なうことができ、費用がかからないという効果がある。
【００３５】
【発明の効果】
以上、説明したように、本発明のカメラによればこれまでにない電子ペーパーの応用用途を開拓し、電子ペーパーを利用した編み物を提供することができる。
【図面の簡単な説明】
【図１】電子表示ペーパーが用いられる電子表示シートの構成を示す図である。
【図２】一つのセル１８００の構造を概念的に示した図である。
【図３】その電子表示シートに使用される電子ペーパーから長尺体を得るときの加工図である。
【図４】図３に示したＡの部分を拡大した図である。
【図５】編み物としてネクタイを長尺体と糸で構成した場合の例である。
【符号の説明】
１８０　　電子表示シート
１８００　　セル
１８０ａ　　ガラス体
１８０１ａ　１８０１ｂ　　透明電極
１８０２　　縣濁液
１８０３　　着色粒子
１８０４ａ　１８０４ｂ　　スペーサ
１８０５　　基板
１８０６　　長尺体
１８０６ａ　１８０６ｂ　　スペーサ
１８０６ｃ　１８０６ｄ　　透明電極
１８１ａ　　デコーダ
１８１ｂ　　ラインドライバ
１８２ｃ　　ラッチ回路
１８２ｄ　　シフトレジスタ
【図１】
2004068181.tif 000003
【図２】
2004068181.tif 000004
【図３】
2004068181.tif 000005
【図４】
2004068181.tif 000006
【図５】
2004068181.tif 000007